(57)【要約】【課題】本発明は、工場内廃棄物を有効活用してコスト安価に作られ、輸出コンテナ積載容積及び重量の低減化、保管スペースを小さくした荷物搬送シートを提供する。【解決手段】本願荷物搬送シート１は、荷物Ｎを積載できる主シート２と、該主シートの少なくとも一辺に折り部３を介して延出された副シート４とからなり、該副シート４は前記主シート２の下面から積載した荷物Ｎの上面を回して掛けたバンド５により前記荷物に沿って立ち上がることを特徴とし、ある単位の載置荷物を、該荷物に掛けたバンド５をハンドルとして把持して手前側に倒し、主シート２から立ち上げた副シート４の折り部３の外側を滑らせながら運搬できるように構成した。【選択図】図３
2017039526.tif 000002
【特許請求の範囲】
【請求項１】
荷物を積載できる主シートと、該主シートの少なくとも一辺に折り部を介して延出された副シートとからなり、該副シートは前記主シートの下面から積載した荷物の上面を回して掛けたバンドにより前記荷物に沿って立ち上がることを特徴とする荷物運搬シート。
【請求項２】
前記副シートの折り部の外面側が、前記バンドの沈込み部になっていることを特徴とする請求項１に記載の荷物運搬シート。
【請求項３】
前記主シート及び副シートが、プラスチックシートであることを特徴とする請求項１又は２に記載の荷物運搬シート。
【発明の詳細な説明】
【技術分野】
【０００１】
本発明は、荷物を一の場所（例えば、保管場所）から二の場所（例えば、出荷場所）まで運搬するために使用して好適な荷物運搬シートに関するものである。
【背景技術】
【０００２】
一般に、多数個の荷物を運搬するときに、フォークリフト（荷役機械）のフォークを挿し込む穴を縦通させたパレットと呼ばれる運搬具が使用される。パレットは、例えば、実公平５−４４２８１号公報のように、上面にある単位の荷物をまとめて乗せフォークリフトのフォークを穴に挿し込んで持ち上げ、フォークリフトを運転者の操縦により移動させて運搬するものであり、上面は荷物を運搬するために必要な面積になっている。また、近年、特開２００５−１２６１１２号公報でもしめされるように、シートパレットと呼ばれる運搬具も使用されるようになった。シートパレットはプッシュブルアタッチメントを備えたフォークリフトで扱われるもので、荷物が積載されるシート部の一辺にプッシュブルアタッチメントで把持するタブ部とからなり、このタブ部はフォークリフトのプラテン上に荷物積層したシートを乗せるときにプッシュブルアタッチメントで把持するためのものである。
【特許文献１】実公平５−４４２８１号公報
【特許文献２】特開２００５５−１２６１１２号公報
【発明の開示】
【発明が解決しようとする課題】
【０００３】
しかしながら、フォークを挿し込む穴を縦通させたパレットは、特許文献１の如く、多くのプラスチック材料を用いて複雑に作られていたため１つ１つの製造コストが高価であって購入費用も嵩んだばかりでなく、輸出コンテナ等積載容積の改善に即応させることは困難であった。また、インジェクションで作られることから、厚さが１００〜１５０mm以上あり、保管時に大きなスペースが必要となっていた。この点、シートパレットは、パレット自体は安価であったが、プッシュブルアタッチメント付きフォークリフトを備えなければならなかったばかりでなく、プッシュブルアタッチメント自体が特殊で高価であったし、プッシュブルの操作には熟練を要した。
【０００４】
本発明は、上記問題を解消するためのもので、その目的とするところは、バージンプラスチックで製造することはもちろん、工場内廃棄物を有効活用しても製造でき、輸出コンテナ積載容積及び重量の低減化、保管スペースを小さくでき、しかも、シートパレットの如く、プッシュブルアタッチメント付きフォークリフトを備える必要のない荷物運搬シートを提供する点にある。
【０００５】
上記目的を達成するため、本発明に係る荷物運搬シートは、荷物を積載できる主シートと、該主シートの少なくとも一辺に折り部を介して延出された副シートとからなり、該副シートは前記主シートの下面から積載した荷物の上面を回して掛けたバンドにより前記荷物に沿って立ち上がることを特徴とし、ある単位の載置荷物を、該荷物に掛けたバンドを把持して手前側に倒し、主シートから立ち上げた副シートの折り部を床面又は地面をすべらせながら梱包資材（例えばダンボール）を傷付けることなく運搬できるように構成した。
【０００６】
また、請求項２に係る荷物運搬シートは、前記副シートの折り部の外面側が、前記バンドの沈込み部になっていることを特徴とし、バンドが副シートの折り部の外側にならないように構成した。
【０００７】
さらに、請求項３に係る荷物運搬シートは、主シート及び副シートが、プラスチックシートであることを特徴とし、個々に軽量にし、保管時に幾重にも重ねても大きなスペースをとらないように構成した。
【発明の効果】
【０００８】
本発明によれば、ある単位の載置荷物を、該荷物に掛けたバンドを把持して手前側に倒し、主シートから立ち上げた副シートの折り部に荷物の重心を移して接地し、前記バンドをハンドルとして前記折り部で床面或いは地面を引きずりながら運搬できるから、運搬にフォークリフトを用いることが不用となり、パレットも不要となる。したがって、ゼロエミ製品（工場内廃棄物の有効利用）によるコスト削減。購入費用の改善。輸出コンテナ等積載容積の改善への対応。保管スペースの低減化が期待できるなど、各種の優れた効果を奏するものである。
【０００９】
また、請求項２の発明によれば、前記折り部で床面或いは地面を滑らせて荷物を運搬するときに、前記バンドは副シートの折り部の外側の沈込み部によって直接床面或いは地面に接触しないという優れた効果を奏するものである。
【００１０】
さらに、請求項３の発明によれば、プラスチックシートからなる主シート及び副シートは軽量であって運搬を必要とする荷物のある場所まで本願運搬具を容易に運び込むことができる上、本願運搬具自身の保管に場所（小スペース化の実現）をとらないという優れた効果を奏するものである。
【００１１】
次に、本発明の実施の態様を添付図面に基づいて説明する。図１は本願荷物運搬シートの斜視図、図２は折り部の外面側に設けたバンドの沈込み部で、（ａ）は凹み、（ｂ）は抜き穴、図３は本願荷物運搬シートに荷物を積載してバンドを掛けた状態を示す斜視図、図４は荷物を運搬している状態を示す斜視図である。
【発明を実施するための最良の形態】
【００１２】
本願荷物運搬シート１は、図１の如く、荷物を積載できる主シート２と、該主シート２の少なくとも一辺２′及びその対向片２″に折り部３を介して延出された副シート４とからなる。この主シート２及び副シート４は、厚さ１〜２ｍｍのプラスチック材料で形成されている。この材料の種類は特に限定されない。バージンプラスチックでも工場内のロスプラスチック又はＰＰハンドやストレッチフイルム等の廃棄プラスチックでもよい。なお、プラスチック材料中にはスリップ剤を混入することもある。
【００１３】
前記主シート２は、１１００ｍｍ×１１００ｍｍ程度で良いが、運搬しようとする荷物の大きさや形状に合わせて種々の面積や厚さのものを揃えておくと良い。前記副シート４は、図面上、主シート２の一辺２′とその対向片２″に折り部３を介して２か所に設けているが、主シート２の一辺２′のみの一カ所、あるいは主シート２の四辺からの四カ所に設けてもよい。
【００１４】
前記折り部３は、主シート２から副シート４を荷物に沿って立ち上げたときに、折り部の外側が鋭角にならないように内面側を押し端が丸みのある押し具（図示せず）で押すとよい。すなわち、副シート４の折り部３はその外面が床面或いは地面を滑らせるためである。この折り部３の外面が床面或いは地面に接地させたときに、後記するバンド５が副シート４の外側にならないように、図２（ａ）の如く、副シートの折り部３の外面側にバンド５の沈込み部６を設けてもよい。この沈込み部６はバンド厚以上の凹みになるが、図２（ｂ）の如く、抜き穴でもよい。
【００１５】
前記副シート４は、図２の如く、前記主シート２の下面から積載した荷物Ｎの上面を回して掛けたバンド５により前記荷物Ｎに沿って立ち上がるようになっている。該バンド５は、通常では、ＰＰバンドに代表される樹脂製バンドや樹脂製紐状物を用いている。前記バンド５は、図２の如く、主シート２の下面から積載した荷物Ｎの上面を回して平行に２条を掛け、ストッパー（図示せず）を使って固定している。この２条に掛けたバンドは、図３の如く、オペレータ（運搬者）７の左右２本の手でそれぞれ握ってハンドルとして利用できるようになる。なお、荷物の量や形状によってＰＰバンドは１条の場合もあり、３条又はそれ以上の場合もある。
【００１６】
次に、荷物運搬シート１の作用について説明する。まず、一の場所（例えば、保管場所）から、二の場所（例えば、出荷場所）まで荷物を運搬する場合、その運搬したい荷物Ｎを主シート２上に積載する。次いで主シート２の下面から積載した荷物Ｎの上面を回してバンド５を図面のように２条に掛け、それぞれストッパー（図示せず）で止める。
【００１７】
前記副シート４は、図２の如く、掛けられたバンド５により前記荷物Ｎに沿って立ち上がることとなる。このとき立ち上がった副シート４は折り部３が鋭角にならないように工夫されている。この場合、副シートの折り部３の外面側にバンド５の沈込み部６を設けおいて、前記バンド５が副シート４の折り部３の外側に出ないようにすることもある。
【００１８】
しかる後、オペレータ（運搬者）７は、副シート４が立ち上がっている側に正対する。そして、主シート２上に載せた荷物Ｎに掛けた２条のバンド５のそれぞれを左右の手で、図３の如く、握り、これをハンドルとして手前側に倒す。これにより副シート４の折り部３の外側を接地させて荷物の重心が接地点（線）に移す。なお、バンド５が１条であるときはそれを左右の手で握ってハンドルにすればよい。
【００１９】
前記２条のバンド５をハンドルとして手前側（自分の方）、すなわち、図４の矢印の方向へ引っ張る。これにより主シート２と副シート４の折り部３の外面は床面或いは地面を滑って荷物とともに進むこととなる。したがって、荷物はフォークリフトも、パレットもシートパレットも一切使用しないで運搬することができる。
【産業上の利用可能性】
【００２０】
本発明は、荷物を一の場所から二の場所まで運搬するために使用するもので、荷役業者や引っ越し業者をはじめとして広く産業利用可能性は高いものである。
【図面の簡単な説明】
【００２１】
【図１】本願荷物運搬シートの斜視図である。
【図２】折り部の外面側に設けたバンドの沈込み部で、（ａ）は凹み、（ｂ）は抜き穴である。
【図３】荷物運搬シートに荷物を積載してバンドを掛けた状態を示す斜視図である。
【図４】荷物を運搬している状態を示す斜視図である。
【符号の説明】
【００２２】
１  本願荷物運搬シート
Ｎ  荷物
２  主シート
２′  一辺
２″  対向辺
３  折り部
４  副シート
５  バンド（ＰＰバンド）
６  沈込み部
７  オペレータ（運搬者）
【図１】
2017039526.tif 000003
【図２】
2017039526.tif 000004
【図３】
2017039526.tif 000005
【図４】
2017039526.tif 000006